(57)【要約】【課題】電子部品の実装の効率が向上する電子部品供給装置および電子部品実装装置を提供することにある。【解決手段】テープカートリッジ６は、リール４を回転自在に保持するリール保持機構６１と、このリール保持機構６１に保持されたリール４に巻回されたエンボステープ５を、マウンタに送り出す包装体送り機構６２と、エンボステープ５の送り出しとともに、カバーテープ５３を剥離するカバーテープ剥離機構６３とを備え、カバーテープ剥離機構６３は、剥離したカバーテープ５３を案内するカバーテープ案内部６４と、案内されたカバーテープ５３を挟持する支持ロール６５１および付勢ロール６５２を備え、ロール６５１、６５２がカバーテープ５３に張力をかけてテープ本体５１からカバーテープ５３を剥がす剥離部本体６５と、剥がされたカバーテープ５３をテープカートリッジ６外部に送り出すカバーテープ送出部６６とを備える。【選択図】　図２
2004055923.tif 000002
【特許請求の範囲】
【請求項１】
所定ピッチで複数の凹部が連続して形成されたテープ本体と、このテープ本体の凹部に収納される複数の電子部品と、これらの電子部品が収納された複数の凹部を塞ぐカバーテープとを備えたテープ状の包装体が巻回されたリールが装着され、前記カバーテープを剥がして凹部内の電子部品を露出させ、電子部品実装装置の実装装置本体にこの電子部品を供給する電子部品供給装置であって、
前記リールを回転自在に保持するリール保持機構と、
このリール保持機構に保持されたリールに巻回された包装体を、前記実装装置本体に送り出す包装体送り機構と、
この送り機構による前記包装体の送り出しとともに、前記カバーテープを剥離するカバーテープ剥離機構とを備え、
このカバーテープ剥離機構は、送り出される包装体の上部に配置され、剥離したカバーテープを案内するカバーテープ案内部と、
このカバーテープ案内部により案内されたカバーテープを挟持する一対の回転可能なロールを備え、該ロールが回転することで前記カバーテープに所定の張力をかけて前記テープ本体からカバーテープを剥がす剥離部本体と、
剥がされたカバーテープを該電子部品供給装置外部に送り出すカバーテープ送出部とを備えていることを特徴とする電子部品供給装置。
【請求項２】
請求項１に記載の電子部品供給装置において、
前記剥離部本体は、いずれか一方のロールの回転軸に力を作用させることにより、この一方のロールを他方のロール側に付勢する付勢部材を備え、
この付勢部材による力の作用線は、前記一方のロールおよび前記他方のロールの回転中心を結ぶ線に対して傾斜していることを特徴とする電子部品供給装置。
【請求項３】
請求項１または請求項２に記載の電子部品供給装置において、
前記包装体送り機構は、前記実装装置本体からの駆動力により回転し、前記包装体のテープ本体側に係合して該包装体を送り出すスプロケットを備え、
前記剥離部本体のいずれか一方のロールは、その外周が回転伝達機構を介して、前記スプロケットの外周と係合していることを特徴とする電子部品供給装置。
【請求項４】
請求項１から請求項３のいずれかに記載の電子部品供給装置において、
前記カバーテープ送出部は、装着されたリールの外周端部に当接し、該リールの回転により回転し、前記カバーテープを該電子部品供給装置外部に送り出す送出ロールを備えていることを特徴とする電子部品供給装置。
【請求項５】
請求項１から請求項４のいずれかに記載の電子部品供給装置において、
前記カバーテープ送出部は、前記剥離部本体および前記送出ロールの間に設けられ剥離したカバーテープが挿通される矩形枠状のガイド部を備えていることを特徴とする電子部品供給装置。
【請求項６】
請求項１から請求項５のいずれかに記載の電子部品供給装置において、
前記リール保持機構は、前記リールの回転中心に装着される回転軸部と、この回転軸部を支持する軸支持部とを備え、
この軸支持部は、前記リールの側面に対向配置される板状体と、この板状体の外周の一部を切欠形成した凹部とを備えていることを特徴とする電子部品供給装置。
【請求項７】
所定ピッチで複数の凹部が連続して形成されたテープ本体と、このテープ本体の凹部に収納される複数の電子部品と、これらの電子部品が収納された複数の凹部を塞ぐカバーテープとを備えたテープ状の包装体が巻回されたリールが装着され、前記カバーテープを剥がして凹部内の電子部品を露出させ、電子部品実装装置の実装装置本体にこの電子部品を供給する電子部品供給装置と、供給された電子部品を被実装体に実装する実装装置本体とを備えた電子部品実装装置であって、
前記電子部品供給装置は、前記請求項１から請求項６のいずれかに記載の電子部品供給装置であることを特徴とする電子部品実装装置。
【発明の詳細な説明】
【０００１】
【発明の属する技術分野】
本発明は、電子部品供給装置および電子部品実装装置に関する。
【０００２】
【背景技術】
従来より、電子部品を収納するエンボステープ等のテープ状の包装体は、所定ピッチで複数の凹部が連続して形成されたテープ本体と、このテープ本体の凹部に収納される複数の電子部品と、これらの電子部品が収納された複数の凹部を塞ぐカバーテープとを備えた構成のものが一般的に知られている。
実際の電子部品の実装作業では、電子部品実装装置が、包装体のカバーテープを剥がして、電子部品を被実装体に実装する。
【０００３】
この電子部品実装装置は、様々な種類の装置が開発されている。例えば、電子部品実装装置は、包装体が巻回されたリールが装着され、前記カバーテープを剥がして凹部内の電子部品を露出させ、電子部品実装装置の実装装置本体にこの電子部品を供給する電子部品供給装置（いわゆるテープカートリッジ）と、供給された電子部品を被実装体に実装する実装装置本体（いわゆるマウンタ）とを備える構成のものが一般的に知られている。
【０００４】
さらに、電子部品供給装置は、前記リールを回転自在に保持するリール保持機構と、このリール保持機構に保持されたリールに巻回された包装体を、前記実装装置本体に送り出す包装体送り機構と、この送り機構による前記包装体の送り出しとともに、前記カバーテープを剥離するカバーテープ剥離機構と、剥がされたカバーテープを巻き取る巻き取りロールとを備え、実装装置本体は、この包装テープを移動させる動力部と、カバーテープを剥がされた包装体の凹部から電子部品を取り出し、該被実装体に搬送する吸着搬送部とを備えている構成のものが一般的である。
【０００５】
ここで、電子部品実装装置により電子部品の実装を行う際には、まずリールに巻かれた包装テープを動力部により、実装装置本体側へ移動させる。その後、剥離部により、カバーテープを剥がす。吸着搬送部が、カバーテープを剥がされた包装体の凹部内の電子部品を吸着し、該凹部から、電子部品を取り出す。そして、吸着搬送部が、基板上へ電子部品を搬送し、基板上の所定の位置に電子部品を配置して、電子部品の実装が完了する。
この際、剥がされたカバーテープは、巻き取りロールにより、巻き取って回収していた。
【０００６】
【発明が解決しようとする課題】
しかしながら、電子部品の基板への実装作業が進み、巻き取りロールによりこのカバーテープが、いっぱいになるまでカバーテープを巻き取ると、巻き取りロールを交換するために、電子部品実装装置自体の運転を止めなければならない。そのため、電子部品の実装の効率を低下させるという問題がある。
【０００７】
本発明の目的は、電子部品の実装の効率が向上する電子部品供給装置および電子部品実装装置を提供することにある。
【０００８】
【課題を解決するための手段】
上記目的を達するために、本発明の電子部品供給装置は、所定ピッチで複数の凹部が連続して形成されたテープ本体と、このテープ本体の凹部に収納される複数の電子部品と、これらの電子部品が収納された複数の凹部を塞ぐカバーテープとを備えたテープ状の包装体が巻回されたリールが装着され、前記カバーテープを剥がして凹部内の電子部品を露出させ、電子部品実装装置の実装装置本体にこの電子部品を供給する電子部品供給装置であって、前記リールを回転自在に保持するリール保持機構と、このリール保持機構に保持されたリールに巻回された包装体を、前記実装装置本体に送り出す包装体送り機構と、この送り機構による前記包装体の送り出しとともに、前記カバーテープを剥離するカバーテープ剥離機構とを備え、このカバーテープ剥離機構は、送り出される包装体の上部に配置され、剥離したカバーテープを案内するカバーテープ案内部と、このカバーテープ案内部により案内されたカバーテープを挟持する一対の回転可能なロールを備え、該ロールが回転することで前記カバーテープに所定の張力をかけて前記テープ本体からカバーテープを剥がす剥離部本体と、剥がされたカバーテープを該電子部品供給装置外部に送り出すカバーテープ送出部とを備えていることを特徴とする。
【０００９】
このような本発明によれば、カバーテープ剥離機構のカバーテープ案内部により剥離したカバーテープを案内する。この案内されたカバーテープを挟持する剥離部本体の一対のロールが回転することで前記カバーテープに所定の張力をかけて前記テープ本体からカバーテープを剥がす。そして、剥がされたカバーテープを該電子部品供給装置外部に送り出す。従って、外部に送り出されたカバーテープを実装作業中に回収できるため、従来のような巻き取りロールがカバーテープでいっぱいになることがなく、装置を停止して巻き取りロールを交換する必要がないので、実装装置自体の運転を止める必要がないので、電子部品の実装の効率が向上する電子部品供給装置とすることができる。
【００１０】
本発明の電子部品供給装置では、前記剥離部本体は、いずれか一方のロールの回転軸に力を作用させることにより、この一方のロールを他方のロール側に付勢する付勢部材を備え、この付勢部材による力の作用線は、前記一方のロールおよび前記他方のロールの回転中心を結ぶ線に対して傾斜していることが好ましい。ここで、この傾斜の方向は、カバーテープの送り出し方向とは反対方向であることが望ましい。
【００１１】
この本発明によれば、この付勢部材による力の作用線は、前記一方のロールおよび前記他方のロールの回転中心を結ぶ線に対して傾斜していることにより、例えば、カバーテープと他方のロールの接触する長さ（面積）を多くとることができ、カバーテープと他方のロールとの接触抵抗を増すから、カバーテープを適切な張力で引っ張ることができる。
【００１２】
本発明の電子部品供給装置では、前記包装体送り機構は、前記実装装置本体からの駆動力により回転し、前記包装体のテープ本体側に係合して該包装体を送り出すスプロケットを備え、前記剥離部本体のいずれか一方のロールは、その外周が回転伝達機構を介して、前記スプロケットの外周と係合していることが好ましい。
この構成によれば、包装体の送り出しとカバーテープの引っ張りを同期させることができるため、カバーテープが必要以上に引っ張られたり、たるみを生じることがない。
【００１３】
本発明の電子部品供給装置では、前記カバーテープ送出部は、装着されたリールの外周端部に当接し、該リールの回転により回転し、前記カバーテープを該電子部品供給装置外部に送り出す送出ロールを備えていることが好ましい。
これによれば、送出ロールは、該リールの回転により回転するから、送出ロールを回転させるモータ等の駆動源を必要としないので、簡単な構造でカバーテープを送り出すことができる。
【００１４】
本発明の電子部品供給装置では、前記カバーテープ送出部は、前記剥離部本体および前記送出ロールの間に設けられ剥離したカバーテープが挿通される矩形枠状のガイド部を備えていることが好ましい。
【００１５】
これによれば、カバーテープがこのガイド部に挿通されるから、前記剥離部本体および前記送出ロールの間での剥離したカバーテープのたるみやねじれを調製することができるので、カバーテープをスムーズに送り出すことができる。
【００１６】
本発明の電子部品供給装置では、前記リール保持機構は、前記リールの回転中心に装着される回転軸部と、この回転軸部を支持する軸支持部とを備え、この軸支持部は、前記リールの側面に対向配置される板状体と、この板状体の外周の一部を切欠形成した凹部とを備えていることが好ましい。
この構成によれば、例えば、リールの回転中心に回転軸部を装着し、板状体の開口している凹部に回転軸部を装着する。従って、リールを取り替える際には、回転軸部を取り外し、開口している凹部の開口側からリールを取り替えるだけでよいので、取り替え作業を迅速に行うことができる。
【００１７】
本発明の電子部品実装装置は、所定ピッチで複数の凹部が連続して形成されたテープ本体と、このテープ本体の凹部に収納される複数の電子部品と、これらの電子部品が収納された複数の凹部を塞ぐカバーテープとを備えたテープ状の包装体が巻回されたリールが装着され、前記カバーテープを剥がして凹部内の電子部品を露出させ、電子部品実装装置の実装装置本体にこの電子部品を供給する電子部品供給装置と、供給された電子部品を被実装体に実装する実装装置本体とを
備えた電子部品実装装置であって、前記電子部品供給装置は、前述の電子部品供給装置であることを特徴とする。
これによれば、前述と同様の作用・効果を得ることができる。
【００１８】
【発明の実施の形態】
以下、本発明の実施の形態を図面に基づいて説明する。
図１には、本発明の一実施形態に係る電子部品実装装置１が示されている。電子部品実装装置１は、テープ状の包装体であるエンボステープ５がリール４に巻回されて設置され、このエンボステープ５内に収納された電子部品５２を取り出して被実装体である基板３３に電子部品５２を実装するものであり、電子部品５２を被実装体である基板３３に実装する実装装置本体であるマウンタ３と、マウンタ３にこの電子部品５２を供給する電子部品供給装置であるテープカートリッジ６とを備えて構成されている。
【００１９】
マウンタ３は、図１に示されるように、吸着搬送部３２とを備えて構成されている。
吸着搬送部３２は、本体３２１と、吸着部３２２とを備え、エンボステープ５から電子部品５２を取り出し、基板３３に搬送する。
本体３２１は、公知の搬送装置で構成され、上下左右に可動が可能である。吸着部３２２は、空気を引き込んで、電子部品５２を吸着するものである。
なお、基板３３は、図示しないが、公知の搬送手段により、所定の位置まで搬送される。
【００２０】
リール４は、図１、２に示されるように、エンボステープ５が巻かれるものであり、中心管４１を２つの円盤状の部材であるリール板４２の中心部分に挟み込んで構成されている。中心管４１は、円管形状である。リール板４２は、段ボール製である。
【００２１】
エンボステープ５は、図１、２、詳しくは、図３に示されるように、所定ピッチで複数の凹部５１Ａが連続して形成されたテープ本体５１と、このテープ本体５１の凹部５１Ａに収納される複数の電子部品５２と、これらの電子部品５２が収納された複数の凹部５１Ａを塞ぐカバーテープ５３とを備えている。
エンボステープ５のその幅方向端部には、凹部５１Ａの配列方向に沿って、所定ピッチで複数の送り孔５１Ｂが連続形成されている。テープ本体５１は、透明なプラスチック製のテープである。凹部５１Ａは、直方体形状である。電子部品５２は、半導体製品等の部品である。カバーテープ５３は、透明なテープであり、テープ本体５１に熱圧着されている。
【００２２】
テープカートリッジ６は、詳しくは、図２に示されるように、リール４を回転自在に保持するリール保持機構６１と、このリール保持機構６１に保持されたリール４に巻回されたエンボステープ５を、マウンタ３に送り出す包装体送り機構６２と、この包装体送り機構６２によるエンボステープ５の送り出しとともに、カバーテープ５３を剥離するカバーテープ剥離機構６３とを備えて構成されている。
【００２３】
リール保持機構６１は、リール４の回転中心である中心管４１内に装着される回転軸部６１１と、この回転軸部６１１を支持する軸支持部６１２とを備えて構成されている。
回転軸部６１１は、金属製の棒状の部材である。軸支持部６１２は、リール４の側面に対向配置される板状体６１２Ａと、この板状体６１２Ａの外周の一部を切欠形成した凹部６１２Ｂとを備えている。板状体６１２Ａは、金属製の略台形形状の部材である。
【００２４】
包装体送り機構６２は、テープカートリッジ６の図示右側端縁に設けられ、スプロケット６２１を備えて構成されている。スプロケット６２１は、その外周に一定間隔で複数の歯が設けられている。スプロケット６２１に設けられた複数の歯は、複数の送り孔５１Ｂ（図３参照）の間隔と同じ間隔で設けられている。さらに、スプロケット６２１は、マウンタ３からの駆動力により回転し、エンボステープ５のテープ本体５１側に係合してエンボステープ５を送り出すものである。このマウンタ３からの駆動力は、スプロケット６２１に押し込む力を与え、間欠的にスプロケット６２１を回転させることによる、いわゆるラチェット機構により伝達される。
【００２５】
カバーテープ剥離機構６３は、送り出されるエンボステープ５の上部に配置され、剥離したカバーテープ５３を案内するカバーテープ案内部６４と、このカバーテープ案内部６４により案内されたカバーテープ５３を挟持する一対の回転可能な支持ロール６５１および付勢ロール６５２を備え、支持ロール６５１および付勢ロール６５２が回転することでカバーテープ５３に所定の張力をかけてテープ本体５１からカバーテープ５３を剥がす剥離部本体６５と、剥がされたカバーテープ５３をテープカートリッジ６外部に送り出すカバーテープ送出部６６とを備えて構成されている。
【００２６】
カバーテープ案内部６４は、テープカートリッジ６の図示右側端縁側に設けられた水平部６４１と、リール保持機構６１側に設けられた傾斜部６４２と、傾斜部６４２の上方に配置された固定ロール６４３と、水平部６４１と傾斜部６４２の間に形成されたスリット６４４とを備えて構成されている。
【００２７】
水平部６４１は、スプロケット６２１よりも上側に配置され、テープ本体５１がスプロケット６２１から外れないようにする。
傾斜部６４２は、水平の部分とリール保持機構６１側にいくに従って上方に傾斜している部分とから構成されている。固定ロール６４３は、傾斜部６４２の上方に配置され、カバーテープ５３を傾斜部６４２と挟み込んで上側から支持するものである。スリット６４４は、上方に矩形形状に開口しており、カバーテープ５３を挿通させる。
【００２８】
剥離部本体６５は、支持ロール６５１と、付勢ロール６５２と、付勢ロール６５２を支持する支持棒６５３と、軸支持部６１２に接続される接続部６５４と、付勢ロール６５２の回転軸に力を作用させることにより、この付勢ロール６５２を支持ロール６５１側に付勢する付勢部材であるコイルバネ６５５とを備えて構成されている。
【００２９】
支持ロール６５１は、その中心６５１Ａで板状体６１２Ａの端縁に軸止され、２枚の円板状の部材と、これら２枚の円板状の部材に同心状に挟まれた円筒状の部材とから構成されている。支持ロール６５１の円筒状の部材の表面と付勢ロール６５２との間でカバーテープ５３を挟持するようになっている。
支持ロール６５１の外周は、図示しない回転伝達機構を介して、前述した包装体送り機構６２のスプロケット６２１の外周と係合している。
【００３０】
付勢ロール６５２は、その表面がゴム製である。支持棒６５３は、棒状の部材であり、付勢ロール６５２の中心６５２Ａをその先端部分で軸止して支持する。この支持棒６５３には、上側に、回動軸６５３Ａが設けられ、接続部６５４に軸止され、付勢ロール６５２を付勢する方向を自在に変えることができる。
接続部６５４は、板状の部材であり、等間隔に複数のネジ６５４Ａにより軸支持部６１２の板状体６１２Ａ側面に接続・固定されている。
コイルバネ６５５は、その上端が、支持棒６５３の上端に接続され、その下端が、接続部６５４の下端に接続されている。
【００３１】
このコイルバネ６５５による力の作用線Ｂ（図２参照）は、支持ロール６５１および付勢ロール６５２の回転中心（６５１Ａおよび６５２Ａ）を結ぶ線Ａに対して傾斜している。この傾斜の方向は、カバーテープ５３の送り出し方向とは反対方向である。
【００３２】
カバーテープ送出部６６は、装着されたリール４の外周端部に当接し、リール４の回転により回転し、カバーテープ５３をテープカートリッジ６外部に送り出す送出ロール６６１と、剥離部本体６５および送出ロール６６１の間に設けられ、剥離したカバーテープ５３が挿通される矩形枠状のガイド部６６５とを備えて構成されている。
【００３３】
送出ロール６６１は、リール形状に構成され、その側面にロール固定部６６２が接続されている。
ロール固定部６６２は、板状の部材であり、その中央部分には、図示しない長孔が形成され、送出ロール６６１を図示上下方向に移動させることができる。
ロール固定部６６２の下部には、水平方向に固定板６６３が接続されている。固定板６６３は、板状体６１２Ａに図示左右方向に固定が可能にされている。
【００３４】
ガイド部６６５は、基部６６６と、基部６６６の上部に設けられたリング部６６７とを備えて構成されている。
基部６６６は、板状体６１２Ａの所定位置に移動が可能であり、固定することができるものである。
リング部６６７は、横長の矩形状のリングであり、かつそのリングの上方の一部分が切り欠かれ、不連続なリング形状であり、剥離したカバーテープ５３が挿通される。
【００３５】
電子部品実装装置１のエンボステープ５の供給の準備から電子部品５２の実装に至るまでの手順を以下に述べる。
【００３６】
（供給前準備）
図２に示されるように、まず、リール４をリール保持機構６１の凹部６１２Ｂに固定する。リール４に巻かれたエンボステープ５を供給方向に引き出し、カバーテープ案内部６４の水平部６４１とスプロケット６２１の間を挿通させる。この際、送り孔５１Ｂ（図３参照）にスプロケット６２１の歯を係合させて、カバーテープ５３を剥がす。このカバーテープ５３をスリット６４４を挿通させて、固定ロール６４３と傾斜部６４２の間を通す。
【００３７】
そして、カバーテープ５３を付勢ロール６５２と支持ロール６５１の間を通し、付勢ロール６５２で、カバーテープ５３を付勢する。
さらにカバーテープ５３を引き出し、ガイド部６６５のリング部６６７を通す。最後に、カバーテープ５３を送出ロール６６１の上側を通るようにして引き出す。
【００３８】
（エンボステープ５の供給）
図１に示されるように、まず、スプロケット６２１に設けられた図示しない駆動源を動作させ、このスプロケット６２１を回転させ、エンボステープ５を供給する。この際、スプロケット６２１の回転が、図示しない回転伝達機構により、支持ロール６５１に伝達され、カバーテープ５３を引き出す。詳しくは、図２に示されるように、付勢ロール６５２と支持ロール６５１は、カバーテープ５３を上下から挟み込み、一定の圧力をかけている。この圧力により、カバーテープ５３は、一定の張力がかかり、ガイド部６６５を通り、テープカートリッジ６外部に引き出されるようになる。
【００３９】
（エンボステープ５の接続）
エンボステープ５の終端にまで達する前に、このエンボステープの終端と新たなリールに巻かれたエンボステープの先端とを接続テープ等で接続する。そして、送り孔５１Ｂの所定のピッチに対応するように、接続テープに孔を形成する。
【００４０】
（電子部品５２の実装）
一方、吸着搬送部３２の位置までエンボステープ５が移動したら、カバーテープ５３が剥がされた凹部５１Ａ上に吸着搬送部３２が移動し、吸着部３２２が電子部品と接触する。その後、吸着部３２２が電子部品５２を吸着し、電子部品５２を基板３３の位置まで搬送し、基板３３上に電子部品５２を接近させる。そして、基板３３上に電子部品５２を実装し、その後、再度、吸着搬送部３２を凹部５１Ａ上に移動させて、吸着・搬送を繰り返す。その間も、エンボステープ５は、吸着・搬送が完了する毎に、供給する方向に移動する。
【００４１】
上述のような本実施形態によれば、次のような効果がある。
（１）外部に送り出されたカバーテープ５３を実装作業中に回収できるため、従来のような巻き取りロールがカバーテープでいっぱいになることがなく、装置１を停止して巻き取りロールを交換する必要がないので、実装装置１自体の運転を止める必要がないので、電子部品５２の実装の効率が向上する電子部品実装装置１とすることができる。
【００４２】
（２）コイルバネ６５５による力の作用線Ｂ（図２参照）は、支持ロール６５１および付勢ロール６５２の回転中心（６５１Ａおよび６５２Ａ）を結ぶ線Ａに対して傾斜し、この傾斜の方向は、カバーテープ５３の送り出し方向の反対方向であることにより、カバーテープ５３と支持ロール６５１の接触する長さ（面積）を多くとることができ、カバーテープ５３と支持ロール６５１との接触抵抗を増すから、カバーテープ５３を適切な張力で引っ張ることができる。
【００４３】
（３）エンボステープ５の送り出しとカバーテープ５３の引っ張りを同期させることができるため、カバーテープ５３が必要以上に引っ張られたり、たるみを生じることがない。
【００４４】
（４）カバーテープ５３がこのガイド部６６５に挿通されるから、剥離部本体６５および送出ロール６６１の間での剥離したカバーテープ５３のたるみやねじれを調製することができるので、カバーテープ５３をスムーズに送り出すことができる。
【００４５】
（５）リール４を取り替える際には、回転軸部６１１を取り外し、開口している凹部６１２Ｂの開口側からリール４を取り替えるだけでよいので、取り替え作業を迅速に行うことができる。
【００４６】
なお、本発明は前記実施形態に限定されるものではなく、本発明の目的を達成できる範囲での変形、改良は、本発明に含まれるものである。例えば、エンボステープ５の接続は、接続テープを貼り付けることで行っていたが、これに限られず、接着剤を用いたり、溶着等の方法により接続しても良い。
また、前記実施形態では、電子部品５２を基板３３への実装途中にエンボステープ５を供給しながら、エンボステープ５同士の接続を行っていたが、これに限られず、単に、エンボステープ５の終端に達したものを、新たなエンボステープ５の先端と接続するようにしてもよい。
その他、本発明を実施する際の具体的な構造および形状等は、本発明の目的を達成できる範囲内で他の構造等としてもよい。
【００４７】
【発明の効果】
本発明によれば、電子部品の実装の効率が向上する電子部品供給装置および電子部品実装装置を提供することにある。
【図面の簡単な説明】
【図１】本発明の一実施形態の電子部品実装装置を示す概略図である。
【図２】図１の実施形態における電子部品供給装置であるフィーダを示す概略図である。
【図３】図１の実施形態における包装体であるエンボステープを示す斜視図である。
【符号の説明】
１　　　電子部品実装装置
３　　　マウンタ
４　　　リール
５　　　エンボステープ
６　　　フィーダ
３２　　　吸着搬送部
３３　　　基板
５１　　　テープ本体
５１Ａ　　　凹部
５１Ｂ　　　送り孔
５２　　　電子部品
５３　　　カバーテープ
６１　　　リール保持機構
６２　　　包装体送り機構
６３　　　カバーテープ剥離機構
６４　　　カバーテープ案内部
６５　　　剥離部本体
６６　　　カバーテープ送出部
６１１　　　回転軸部
６１２　　　軸支持部
６１２Ａ　　　板状体
６１２Ｂ　　　凹部
６２１　　　スプロケット
６５１　　　支持ロール
６５１Ａ　　　中心
６５２　　　付勢ロール
６５２Ａ　　　中心
６５５　　　コイルバネ
６６１　　　送出ロール
６６５　　　ガイド部
Ａ　　　各ロールの中心を結ぶ線
Ｂ　　　力の作用線
【図１】
2004055923.tif 000003
【図２】
2004055923.tif 000004
【図３】
2004055923.tif 000005